(57)【要約】【課題】表側と裏側のそれぞれに複数の遊技機が配列されているとともに各遊技機に対して呼び出しランプが設けられた遊技機島用の代表ランプ装置であって、従来の遊技機島用代表ランプと比較すると、代表ランプ監視要員数を低減し、人件費を節約できる代表ランプ装置を提供する。【解決手段】表側ａの呼出しランプ９３ａからの信号に基づいて光表示を行なうための表側ａの主表示部１ｍを含むとともに裏側ｂの呼出しランプ９３ｂからの信号に基づいて光表示を行なうための表側ａの副表示部１ｓを含む表側代表ランプ１と、裏側ｂの呼出しランプ９３ｂからの信号に基づいて光表示を行なうための裏側ｂの主表示部２ｍを含むとともに表側ａの呼出しランプ９３ａからの信号に基づいて光表示を行なうための裏側ｂの副表示部２ｓを含む裏側代表ランプ２を含む代表ランプ装置１０１。【選択図】図１
2014111208.tif 000002
【特許請求の範囲】
【請求項１】
表側と裏側のそれぞれに複数の遊技機が配列されているとともに各遊技機に対して呼出しランプが設けられた遊技機島用の代表ランプ装置であり、
前記表側の遊技機用の呼出しランプからの信号に基づいて光表示を行なうための主表示部を含むとともに前記裏側の遊技機用の呼出しランプからの信号に基づいて光表示を行なうための副表示部を含む表側代表ランプと、
前記裏側の遊技機用の呼出しランプからの信号に基づいて光表示を行なうための主表示部を含むとともに前記表側の遊技機用の呼出しランプからの信号に基づいて光表示を行なうための副表示部を含む裏側代表ランプを
含むことを特徴とする代表ランプ装置。
【請求項２】
前記表側代表ランプの主表示部及び副表示部並びに前記裏側代表ランプの主表示部及び副表示部の各表示部は、光源部と、前記光源部の駆動部と、前記光源部駆動部の制御部を含んでおり、
前記表側代表ランプの主表示部の制御部は前記表側遊技機用の呼出しランプから出力される信号を受信し、該表側代表ランプの主表示部の光源部が該信号に応じて駆動されるように該表側代表ランプの主表示部の光源部駆動部を制御し、
前記表側代表ランプの副表示部の制御部は前記裏側遊技機用の呼出しランプから出力される信号を受信し、該表側代表ランプの副表示部の光源部が該信号に応じて駆動されるように該表側代表ランプの副表示部の光源部駆動部を制御し、
前記裏側代表ランプの主表示部の制御部は前記裏側遊技機用の呼出しランプから出力される信号を受信し、該裏側代表ランプの主表示部の光源部が該信号に応じて駆動されるように該裏側代表ランプの主表示部の光源部駆動部を制御し、
前記裏側代表ランプの副表示部の制御部は前記表側遊技機用の呼出しランプから出力される信号を受信し、該裏側代表ランプの副表示部の光源部が該信号に応じて駆動されるように該裏側代表ランプの副表示部の光源駆部動部を制御する請求項１記載の代表ランプ装置。
【請求項３】
前記表側代表ランプの主表示部及び副表示部並びに前記裏側代表ランプの主表示部及び副表示部の各表示部は、光源部と、前記光源部の駆動部と、前記光源部駆動部の制御部を含んでおり、
前記表側代表ランプの主表示部の制御部は、前記表側遊技機用の呼出しランプから出力される信号を受信し、該表側代表ランプの主表示部の光源部が該信号に応じて駆動されるように該表側代表ランプの主表示部の光源部駆動部を制御するとともに、前記表側遊技機用の呼出しランプから出力される信号を前記裏側代表ランプの副表示部の制御部へ伝達して、該裏側代表ランプの副表示部の制御部に、該裏側代表ランプの副表示部の光源部が前記表側遊技機用の呼出しランプから出力される信号に応じて駆動されるように該裏側代表ランプの副表示部の光源部駆動部を制御させ、
前記裏側代表ランプの主表示部の制御部は、前記裏側遊技機用の呼出しランプから出力される信号を受信し、該裏側代表ランプの主表示部の光源部が該信号に応じて駆動されるように該裏側代表ランプの主表示部の光源部駆動部を制御するとともに、前記裏側遊技機用の呼出しランプから出力される信号を前記表側代表ランプの副表示部の制御部へ伝達して、該表側代表ランプの副表示部の制御部に、該表側代表ランプの副表示部の光源部が前記裏側遊技機用の呼出しランプから出力される信号に応じて駆動されるように該表側代表ランプの副表示部の光源部駆動部を制御させる請求項１記載の代表ランプ装置。
【請求項４】
前記表側代表ランプ及び前記裏側代表ランプのうち少なくとも一方において、該代表ランプの主表示部の少なくとも光源部と、該代表ランプの副表示部の少なくとも光源部とが一体的に連設されている請求項２又は３記載の代表ランプ装置。
【請求項５】
前記表側代表ランプ及び前記裏側代表ランプのうち少なくとも一方において、該代表ランプの主表示部の光源部と、該代表ランプの副表示部の光源部とが互いに個別に形成されている請求項２又は３記載の代表ランプ装置。
【請求項６】
前記表側代表ランプ及び前記裏側代表ランプのうち少なくとも一方において、該代表ランプの主表示部の制御部及び該代表ランプの副表示部の制御部は一つの総合制御部にまとめられている請求項２、３、４又は５記載の代表ランプ装置。
【請求項７】
前記表側代表ランプ及び前記裏側代表ランプのそれぞれにおいて主表示部の制御部及び副表示部の制御部は一つの総合制御部にまとめられており、
前記表側代表ランプにおける総合制御部は前記裏側遊技機用の呼出しランプからの予め定めた信号が伝達されると、該表側代表ランプにおける主表示部及び副表示部の光源部が予め定めた状態に駆動されるように該光源部の駆動部を制御し、
前記裏側代表ランプにおける総合制御部は前記表側遊技機用の呼出しランプからの予め定めた信号が伝達されると、該裏側代表ランプにおける主表示部及び副表示部の光源部が予め定めた状態に駆動されるように該光源部の駆動部を制御する請求項２、３、４又は５記載の代表ランプ装置。
【発明の詳細な説明】
【技術分野】
【０００１】
本発明は、パチンコ機等の遊技機を設置した遊技場における所謂島、さらに言えば、表側と裏側のそれぞれに複数の遊技機が配列されているとともに各遊技機に対して呼出しランプが設けられている遊技機島に用いる代表ランプ装置に関する。
【背景技術】
【０００２】
従来、「ホール」等と呼ばれているパチンコ機等の遊技機で遊技する遊技場には、表側と裏側のそれぞれに複数の遊技機が配列された島（遊技機島）が設置されている。
【０００３】
島の各遊技機には、それに対応させて「呼出しランプ」とか、「コールランプ」などと称される、或いは遊技機の台番号を付してある場合には「ナンバランプ」などと称されることもある表示装置が設けられている。
【０００４】
このような呼出しランプはその呼出しランプが設けられた遊技機における「トラブル発生時等の呼び出しボタン操作による店員の呼び出し」や「不正行為」を表示したり、所謂「役当たり」、「大当たり」、「大当たり回数」などのうち幾つかを表示したりするためのものである。
【０００５】
呼出しランプによる各種情報の表示は、「呼び出し」、「不正行為」等に対する店員の迅速、適切な対応や処置を可能とし、また、「大当たり」等発生時の遊技場の雰囲気の盛り上げなどに利用される。
【０００６】
このような呼出しランプによる表示は、呼出しランプが設けられているというだけでは、その呼出しランプの傍にいる遊技者や店員にしか視認されない。
【０００７】
そこで、遊技機島に、その島の呼出しランプ情報を代表して表示する代表ランプを設けることが提案され実施されてきた。このような代表ランプは、例えば、実用新案登録第３１１５４４７号公報、特開２００６−８７６９７号公報、特開２００６−１０９９８７号公報に記載されている。
【０００８】
代表ランプの設置については、遊技機島の表側の呼出しランプ情報を代表して表示する表側用の代表ランプ及び裏側の呼出しランプ情報を代表して表示する裏側用の代表ランプを設置するのが一般的である。
【０００９】
図８は遊技機島の従来例を示している。図８に示す例では、島９１０の表側ａに遊技機（例えばパチンコ機）９２が配列されているとともに各遊技機９２の上側にその遊技機に接続された呼出しランプ９３が設けられている。島９１０の裏側ｂにも同様に遊技機９２及び呼出しランプ９３が設けられている。
【００１０】
また、島９１０の表側ａの両端に島９１０の表側ａの呼出しランプ９３による情報を代表して表示する表側用の代表ランプ９４が設置されている。島９１０の裏側ｂの両端にも裏側ｂの呼出しランプ９３による情報を代表して表示する裏側用の代表ランプ９４が設置されている。
【００１１】
代表ランプ９４に代えて、図８に例示するように代表ランプ９４’が島９１０の端の天井の上に設けられる場合もあり、これはトップランプと呼ばれることもある。
【００１２】
このような島９１０は一つの遊技場に複数設置されるのが一般的であり、図９は遊技機島が四つ並列されている例を示している。図９では４列に設置された遊技機島を符号９１１〜９１４で示してあり、遊技機９２、呼出しランプ９３、代表ランプ９４は、島表側ａのものは添字ａを付して、島裏側ｂのものは添字ｂを付して示してある。図９では各島の表裏それぞれの遊技機数は五つとして示してある。
【００１３】
図９に示す例では、一番左側の島９１１とその隣の島９１２の間に位置する店員Ｐ２は島９１１の裏側代表ランプ９４ｂと島９１２の表側代表ランプ９４ａしか監視することができない。島９１２とその隣の島９１３の間に位置する店員Ｐ３は島９１２の裏側代表ランプ９４ｂと島９１３の表側代表ランプ９４ａしか監視することができない。島９１３とその隣の島９１４の間に位置する店員Ｐ４は島９１３の裏側代表ランプ９４ｂと島９１４の表側代表ランプ９４ａしか監視することができない。
【００１４】
島９１１の表側に位置する店員Ｐ１は島９１１の表側ａの代表ランプ９４ａしか監視できない。島９１４の裏側に位置する店員Ｐ５は島９１４の裏側ｂの代表ランプ９４ｂしか監視できない。
【００１５】
従って、呼出しランプによる「遊技者からの呼び出し」、「不正行為の通報」等に迅速、適切に対応するには監視員の数を多くせざるをえない。
【先行技術文献】
【特許文献】
【００１６】
【特許文献１】実用新案登録第３１１５４４７号公報
【特許文献２】特開２００６−８７６９７号公報
【特許文献３】特開２００６−１０９９８７号公報
【発明の概要】
【発明が解決しようとする課題】
【００１７】
しかし、このように多くの店員を配置すると人件費支出が多くなり、遊技場経営が圧迫される。
【００１８】
図９に示すＡ位置又はＢ位置からであれば、一人の店員で４列の島すべての代表ランプ９４ａ、９４ｂを監視できそうであり、そうすることで人件費を節約できそうであるが、位置Ａ又は位置Ｂに店員を配置しなければならず、店員配置位置が制約される。また、実際には、位置Ａ又は位置Ｂの店員だけで済ませることはできず、結局、位置Ｐ１〜Ｐ５のそれぞれに店員を配置すること等が選択される。
【００１９】
そこで本発明は、表側と裏側のそれぞれに複数の遊技機が配列されているとともに各遊技機に対して呼出しランプが設けられた遊技機島用の代表ランプ装置であり、従来の遊技機島用代表ランプと比較すると、代表ランプ表示情報に迅速、適切に対応するための代表ランプ監視要員数を低減し、人件費を節約できる代表ランプ装置を提供することを課題とする。
【課題を解決するための手段】
【００２０】
本発明は、前記課題を解決するため、
表側と裏側のそれぞれに複数の遊技機が配列されているとともに各遊技機に対して呼出しランプが設けられた遊技機島用の代表ランプ装置であり、
前記表側の遊技機用の呼出しランプからの信号に基づいて光表示を行なうための表側の主表示部を含むとともに前記裏側の遊技機用の呼出しランプからの信号に基づいて光表示を行なうための表側の副表示部を含む表側代表ランプと、
前記裏側の遊技機用の呼出しランプからの信号に基づいて光表示を行なうための裏側の主表示部を含むとともに前記表側の遊技機用の呼出しランプからの信号に基づいて光表示を行なうための裏側の副表示部を含む裏側代表ランプを
含む代表ランプ装置を提供する。
【００２１】
本発明に係る代表ランプ装置によると、この代表ランプ装置を設けた遊技機島の表側に面して位置する店員は、表側代表ランプにおける表側主表示部と表側副表示部の双方を同時に監視することができ、表側主表示部を監視することで島の表側に配列された呼出しランプからの情報を把握できるとともに表側副表示部を監視することで島の裏側に配列された呼出しランプからの情報を把握できる。
【００２２】
また、遊技機島の裏側に面して位置する店員は、裏側代表ランプにおける裏側主表示部と裏側副表示部の双方を同時に監視することができ、裏側主表示部を監視することで島の裏側に配列された呼出しランプからの情報を把握できるとともに裏側副表示部を監視することで島の表側に配列された呼出しランプからの情報を把握できる。
【００２３】
つまり、本発明に係る代表ランプ装置によると、この代表ランプ装置を設けた遊技機島の表側及び裏側の双方に配列された呼出しランプからの情報の代表ランプによる把握を、島の表側又は裏側に位置する店員だけで（換言すれば、島の表側、裏側のいずれからでも）監視することができ、さらに言えば、本発明に係る代表ランプ装置を設けた遊技機島を隣り合わせて並べれば、その二つの島のそれぞれの表側及び裏側に配列された呼出しランプからの情報をその二つの島の間に位置する店員だけで把握することができる。
【００２４】
このように本発明に係る代表ランプ装置によると、従来の遊技機島用代表ランプと比較すると、代表ランプ表示情報に迅速、適切に対応するための代表ランプ監視要員数を低減し、人件費を節約できる。
【００２５】
本発明に係る代表ランプ装置の代表的な例として、次の第１、第２の二つのタイプの装置を例示できる。
【００２６】
（１）第１タイプの代表ランプ装置
本発明に係る上記代表ランプ装置において、
前記表側代表ランプの主表示部及び副表示部並びに前記裏側代表ランプの主表示部及び副表示部の各表示部は、光源部と、前記光源部の駆動部と、前記光源部駆動部の制御部を含んでおり、
前記表側代表ランプの主表示部の制御部は前記表側遊技機用の呼出しランプから出力される信号を受信し、該表側代表ランプの主表示部の光源部が該信号に応じて駆動されるように該表側代表ランプの主表示部の光源部駆動部を制御し、
前記表側代表ランプの副表示部の制御部は前記裏側遊技機用の呼出しランプから出力される信号を受信し、該表側代表ランプの副表示部の光源部が該信号に応じて駆動されるように該表側代表ランプの副表示部の光源部駆動部を制御し、
前記裏側代表ランプの主表示部の制御部は前記裏側遊技機用の呼出しランプから出力される信号を受信し、該裏側代表ランプの主表示部の光源部が該信号に応じて駆動されるように該裏側代表ランプの主表示部の光源部駆動部を制御し、
前記裏側代表ランプの副表示部の制御部は前記表側遊技機用の呼出しランプから出力される信号を受信し、該裏側代表ランプの副表示部の光源部が該信号に応じて駆動されるように該裏側代表ランプの副表示部の光源駆部動部を制御する代表ランプ装置。
【００２７】
（２）第２タイプの代表ランプ装置
本発明に係る上記代表ランプ装置において、
前記表側代表ランプの主表示部及び副表示部並びに前記裏側代表ランプの主表示部及び副表示部の各表示部は、光源部と、前記光源部の駆動部と、前記光源部駆動部の制御部を含んでおり、
前記表側代表ランプの主表示部の制御部は、前記表側遊技機用の呼出しランプから出力される信号を受信し、該表側代表ランプの主表示部の光源部が該信号に応じて駆動されるように該表側代表ランプの主表示部の光源部駆動部を制御するとともに、前記表側遊技機用の呼出しランプから出力される信号を前記裏側代表ランプの副表示部の制御部へ伝達して、該裏側代表ランプの副表示部の制御部に、該裏側代表ランプの副表示部の光源部が前記表側遊技機用の呼出しランプから出力される信号に応じて駆動されるように該裏側代表ランプの副表示部の光源部駆動部を制御させ、
前記裏側代表ランプの主表示部の制御部は、前記裏側遊技機用の呼出しランプから出力される信号を受信し、該裏側代表ランプの主表示部の光源部が該信号に応じて駆動されるように該裏側代表ランプの主表示部の光源部駆動部を制御するとともに、前記裏側遊技機用の呼出しランプから出力される信号を前記表側代表ランプの副表示部の制御部へ伝達して、該表側代表ランプの副表示部の制御部に、該表側代表ランプの副表示部の光源部が前記裏側遊技機用の呼出しランプから出力される信号に応じて駆動されるように該表側代表ランプの副表示部の光源部駆動部を制御させる代表ランプ装置。
【００２８】
第２タイプの代表ランプ装置は、表側代表ランプの主表示部と裏側代表ランプの副表示部間及び表側代表ランプの副表示部と裏側代表ランプの主表示部間で通信するタイプの装置である。
【００２９】
前記第１タイプ及び第２タイプの代表ランプ装置のいずれについても、
（ａ）前記表側代表ランプ及び前記裏側代表ランプのうち少なくとも一方において、該代表ランプの主表示部の少なくとも光源部と、該代表ランプの副表示部の少なくとも光
源部とが一体的に連設されていてもよく、また、
（ｂ）前記表側代表ランプ及び前記裏側代表ランプのうち少なくとも一方において、該代表ランプの主表示部の光源部と、該代表ランプの副表示部の光源部とが互いに個別に
形成されていてもよい。
【００３０】
上記（ａ）、（ｂ）のほか、前記表側代表ランプ及び前記裏側代表ランプのうち少なくとも一方において、該代表ランプの主表示部の少なくとも光源部と、該代表ランプの副表示部の少なくとも光源部とが一体化していてもよい。例えば、主表示部の光源部における光源と副表示部の光源部における光源とが混ざり合って配列されていたり、或いは一部で互いに共通のものであったりするなどしてもよい。
【００３１】
前記第１タイプ及び第２タイプの代表ランプ装置のいずれについても、
前記表側代表ランプ及び前記裏側代表ランプのうち少なくとも一方において、該代表ランプの主表示部の制御部及び該代表ランプの副表示部の制御部は一つの総合制御部（例えば、一部が主表示部と副表示部に共通のものであるなどの総合制御部）にまとめられていてもよい。
【００３２】
また、前記第１タイプ及び第２タイプの代表ランプ装置のいずれについても、
前記表側代表ランプ及び前記裏側代表ランプのそれぞれにおいて主表示部の制御部及び副表示部の制御部が一つの総合制御部にまとめられており、
前記表側代表ランプにおける総合制御部は前記裏側遊技機用の呼出しランプからの予め定めた信号（例えば不正行為を示す信号）が伝達されると、該表側代表ランプにおける主表示部及び副表示部の光源部を予め定めた状態に（例えば、それら光源部を構成する光源のうち青色発光の光源を一斉点灯させるように）該光源部の駆動部を制御し、
前記裏側代表ランプにおける総合制御部は前記表側遊技機用の呼出しランプからの予め定めた信号（例えば不正行為を示す信号）が伝達されると、該裏側代表ランプにおける主表示部及び副表示部の光源部を予め定めた状態（例えば、それら光源部を構成する光源のうち赤色発光の光源を一斉点灯させるように）該光源部の駆動部を制御するものであってもよい。
【発明の効果】
【００３３】
以上説明したように本発明によると、表側と裏側のそれぞれに複数の遊技機が配列されているとともに各遊技機に対して呼出しランプが設けられた遊技機島用の代表ランプ装置であり、従来の遊技機島用代表ランプと比較すると、代表ランプ表示情報に迅速、適切に対応するための代表ランプ監視要員数を低減し、人件費を節約できる代表ランプ装置を提供することができる。
【図面の簡単な説明】
【００３４】
【図１】本発明に係る代表ランプ装置の１例を、それを取り付けた島とともに示すブロック図である。
【図２】４列に並べられた島のそれぞれに本発明に係る代表ランプ装置例を設けた状態を示す概略平面図である。
【図３】本発明に係る代表ランプ装置の他の例を、それを取り付けた島とともに示すブロック図である。
【図４】本発明に係る代表ランプ装置のさらに他の例を、それを取り付けた島とともに示すブロック図である。
【図５】本発明に係る代表ランプ装置のさらに他の例を、それを取り付けた島とともに示すブロック図である。
【図６】本発明に係る代表ランプ装置のさらに他の例を、それを取り付けた島とともに示すブロック図である。
【図７】本発明に係る代表ランプ装置のさらに他の例を、それを取り付けた島とともに示すブロック図である。
【図８】島の例と、それに取り付けられた従来の代表ランプ例を示す図である。
【図９】４列に並べられた島のそれぞれに従来の代表ランプ例を設けた状態を示す概略平面図である。
【発明を実施するための形態】
【００３５】
本発明に係る代表ランプ装置例について図面を参照して説明する。
図示の本発明に係る代表ランプ装置の例１０１（図１、図２）、１０２（図３）、１０３（図４）、１０４（図５）、１０５（図６）、１０６（図７）は、いずれも、島９１０（図１）、９１１〜９１４（図２）等の遊技機島に取り付けて用いられる代表ランプ装置である。
【００３６】
図示の島９１０、９１１〜９１４のそれぞれは、遊技機として、それとは限定されないが、本例では図８と同様にパチンコ機９２を島の表側ａと裏側ｂのそれぞれに配列したものである。表側ａのパチンコ機９２ａのそれぞれに対して呼出しランプ９３ａが設けられており、裏側ｂのパチンコ機９２ｂのそれぞれに対して呼出しランプ９３ｂが設けられている。
【００３７】
代表ランプ装置１０１〜１０６のそれぞれは、島表側ａの角部に島裏側ｂに面する人からも見られるように立ち上げ設置される表側代表ランプ１と、島裏側ｂの角部に島表側ａに面する人からも見られるように立ち上げ設置される裏側代表ランプ２とを含んでいる。
【００３８】
表側代表ランプ１は、島表側ａの遊技機用の呼出しランプ９３ａからの信号に基づいて光表示を行なうための主表示部１ｍを含むとともに島裏側ｂの遊技機用の呼出しランプ９３ｂからの信号に基づいて光表示を行なうための副表示部１ｓを含んでいる。
【００３９】
裏側代表ランプ２は、島裏側ｂの遊技機用の呼出しランプ９３ｂからの信号に基づいて光表示を行なうための主表示部２ｍを含むとともに島表側ａの遊技機用の呼出しランプ９３ａからの信号に基づいて光表示を行なうための副表示部２ｓを含んでいる。
【００４０】
いずれの代表ランプ装置例においても、表側及び裏側の各代表ランプの主表示部、副表示部のそれぞれは、光源として、それとは限定されないが、ここでは発光ダイオード（以下、「ＬＥＤ」ということがある。）を採用している。
【００４１】
以下、各代表ランプ装置例について説明する。
＜図１に示す代表ランプ装置１０１＞
代表ランプ装置１０１は、上述のとおり、表側及び裏側の代表ランプ１、２を含んでいる。
【００４２】
表側代表ランプ１は主表示部１ｍ及び副表示部１ｓを含んでいる。表示部１ｍと１ｓは上下に一体的に連設されている。主表示部１ｍは光源部１３ｍ、光源部の駆動部１２ｍ及び駆動部１２ｍの制御部１１ｍを含んでいる。副表示部１ｓは光源部１３ｓ、光源部の駆動部１２ｓ及び駆動部１２ｓの制御部１１ｓを含んでいる。
【００４３】
裏側代表ランプ２は主表示部２ｍ及び副表示部２ｓを含んでいる。主表示部２ｍは光源部２３ｍ、光源部の駆動部２２ｍ及び駆動部２２ｍの制御部２１ｍを含んでいる。副表示部２ｓは光源部２３ｓ、光源部の駆動部２２ｓ及び駆動部２２ｓの制御部２１ｓを含んでいる。
【００４４】
上記光源部１３ｍ、１３ｓ、２３ｍ、２３ｓのそれぞれは、一個又は複数個のＬＥＤを基板に配列したものである。光源部駆動部１２ｍ、１２ｓ、２２ｍ、２２ｓのそれぞれはＬＥＤの駆動回路であり、制御部１１ｍ、１１ｓ、２１ｍ、２１ｓのそれぞれはＬＥＤ駆動回路を制御するものである。
【００４５】
表側代表ランプ１の主表示部１ｍの制御部１１ｍは、表側遊技機用の呼出しランプ９３ａから出力される信号を受信し、光源部１３ｍのＬＥＤが該信号（例えば、遊技者による呼出しを示す信号、不正行為があることを示す信号等の予め定めた信号）に応じて点灯、消灯したり、予め定めたパターンで点灯、消灯等したりするように光源部駆動部１２ｍを制御する。
【００４６】
表側代表ランプ１の副表示部１ｓの制御部１１ｓは裏側遊技機用の呼出しランプ９３ｂから出力される信号を受信し、光源部１３ｓのＬＥＤが該信号（例えば、遊技者による呼出しを示す信号、不正行為があることを示す信号等の予め定めた信号）に応じて点灯、消灯したり、予め定めたパターンで点灯、消灯等したりするように光源部駆動部１２ｓを制御する。
【００４７】
裏側代表ランプ２の主表示部２ｍの制御部２１ｍは、裏側遊技機用の呼出しランプ９３ｂから出力される信号を受信し、光源部２３ｍのＬＥＤが該信号（例えば、遊技者による呼出しを示す信号、不正行為があることを示す信号等の予め定めた信号）に応じて点灯、消灯したり、予め定めたパターンで点灯、消灯等したりするように光源部駆動部２２ｍを制御する。
【００４８】
裏側代表ランプ２の副表示部２ｓの制御部２１ｓは表側遊技機用の呼出しランプ９３ａから出力される信号を受信し、光源部２３ｓのＬＥＤが該信号（例えば、遊技者による呼出しを示す信号、不正行為があることを示す信号等の予め定めた信号）に応じて点灯、消灯したり、予め定めたパターンで点灯、消灯等したりするように光源部駆動部２２ｓを制御する。
【００４９】
＜図３に示す代表ランプ装置１０２＞
代表ランプ装置１０２は図１の代表ランプ装置１０１において、表側代表ランプ１の表示部１ｍ、１ｓの制御部１１ｍ、１１ｓを共通化できる部品や部分を共通で使用できるように一つの総合制御部１１にまとめるとともに、同様に、裏側代表ランプ２の表示部２ｍ、２ｓの制御部２１ｍ、２１ｓを共通化できる部品や部分を共通で使用できるように一つの総合制御部２１にまとめたものである。
【００５０】
その他の点は図１の代表ランプ装置１０１と同様であり、装置１０１と実質上同じ部品、部分等には図１と同じ参照符号を付してある。
【００５１】
＜図４に示す代表ランプ装置１０３＞
代表ランプ装置１０３は図１の代表ランプ装置１０１と同様に表側代表ランプ１及び裏側代表ランプ２を含み、表側代表ランプ１は主表示部１ｍ及び副表示部１ｓを、裏側代表ランプ２は主表示部２ｍ及び副表示部２ｓをそれぞれ含むものである。
【００５２】
また、表側代表ランプ１の主表示部１ｍは光源部１３ｍ、光源部駆動部１２ｍ及び駆動部１２ｍの制御部１１ｍを含み、副表示部１ｓは光源部１３ｓ、光源部駆動部１２ｓ及び駆動部１２ｓの制御部１１ｓを含んでいる。
【００５３】
裏側代表ランプ２の主表示部２ｍは光源部２３ｍ、光源部駆動部２２ｍ及び駆動部２２ｍの制御部２１ｍを含み、副表示部２ｓは光源部２３ｓ、光源部駆動部２２ｓ及び駆動部２２ｓの制御部２１ｓを含んでいる。
【００５４】
代表ランプ装置１０３においても、表側代表ランプ１の主表示部１ｍの制御部１１ｍは、表側遊技機用の呼出しランプ９３ａから出力される信号を受信し、光源部１３ｍのＬＥＤが該信号（例えば、遊技者による呼出しを示す信号、不正行為があることを示す信号等の予め定めた信号）に応じて点灯、消灯したり、予め定めたパターンで点灯、消灯等したりするように光源部駆動部１２ｍを制御する。
【００５５】
また、裏側代表ランプ２の主表示部２ｍの制御部２１ｍは、裏側遊技機用の呼出しランプ９３ｂから出力される信号を受信し、光源部２３ｍのＬＥＤが該信号（例えば、遊技者による呼出しを示す信号、不正行為があることを示す信号等の予め定めた信号）に応じて点灯、消灯したり、予め定めたパターンで点灯、消灯等したりするように光源部駆動部２２ｍを制御する。
【００５６】
しかし、代表ランプ装置１０３では、代表ランプ装置１０１と異なり、表側代表ランプ１の副表示部１ｓの制御部１１ｓは、裏側遊技機用の呼出しランプ９３ｂから、裏側代表ランプ２の主表示部２ｍの制御部２１ｍの通信部２０ｍを介して出力される信号を通信部１０ｓで受信し、副表示部１ｓの光源部１３ｓのＬＥＤが該信号（例えば、遊技者による呼出しを示す信号、不正行為があることを示す信号等の予め定めた信号）に応じて点灯、消灯したり、予め定めたパターンで点灯、消灯等したりするように光源部駆動部１２ｓを制御する。
【００５７】
さらに、代表ランプ装置１０３では、裏側代表ランプ２の副表示部２ｓの制御部２１ｓは、表側遊技機用の呼出しランプ９３ａから、表側代表ランプ１の主表示部１ｍの制御部１１ｍの通信部１０ｍを介して出力される信号を通信部２０ｓで受信し、副表示部２ｓの光源部２３ｓのＬＥＤが該信号（例えば、遊技者による呼出しを示す信号、不正行為があることを示す信号等の予め定めた信号）に応じて点灯、消灯したり、予め定めたパターンで点灯、消灯等したりするように光源部駆動部２２ｓを制御する。
【００５８】
その他の点は図１の代表ランプ装置１０１と同様である。
【００５９】
＜図５に示す代表ランプ装置１０４＞
代表ランプ装置１０４は図４の代表ランプ装置１０３において、表側代表ランプ１の表示部１ｍ、１ｓの制御部１１ｍ、１１ｓを共通化できる部品や部分を共通で使用できるように一つの総合制御部１１にまとめるとともに、同様に、裏側代表ランプ２の表示部２ｍ、２ｓの制御部２１ｍ、２１ｓを共通化できる部品や部分を共通で使用できるように一つの総合制御部２１にまとめたものである。
【００６０】
その他の点は図４の代表ランプ装置１０３と同様であり、装置１０３と実質上同じ部品、部分等には図４と同じ参照符号を付してある。
【００６１】
＜図６に示す代表ランプ装置１０５＞
代表ランプ装置１０５は、図１の代表ランプ装置１０１において、表側代表ランプ１の主表示部１ｍと副表示部１ｓとを互いに分離配置可能に別個に形成するとともに、裏側代表ランプ２の主表示部２ｍと副表示部２ｓについても、分離配置可能に別個に形成したものである。
【００６２】
その他の点は図１の代表ランプ装置１０１と同様であり、装置１０１と実質上同じ部品、部分等には図１と同じ参照符号を付してある。
【００６３】
＜図７に示す代表ランプ装置１０６＞
代表ランプ装置１０６は、図１の代表ランプ装置１０１において表側及び裏側の代表ランプのそれぞれにおける主表示部の制御部と副表示部の制御部とを一つの総合制御部にまとめた図３に示す代表ランプ装置１０２において、表側代表ランプ１における主表示部１ｍと副表示部１ｓの光源部１３ｍと１３ｓを一つにまとめて光源部１３ｍｓとするとともに、裏側代表ランプ２における主表示部２ｍと副表示部２ｓの光源部２３ｍと２３ｓを一つにまとめて光源部２３ｍｓとしたものである。
【００６４】
その他の点は図３の代表ランプ装置１０２と同様であり、装置１０２と実質上同じ部品、部分等には図３と同じ参照符号を付してある。
【００６５】
装置１０６における代表ランプ１における光源部１３ｍｓにおいては、主表示部１ｍ用のＬＥＤと副表示部１ｓ用のＬＥＤとが混じって配列されていてもよく、また、主表示部１ｍ用のＬＥＤ、副表示部１ｓ用のＬＥＤのいずれについても、様々な発光色のＬＥＤを採用できる。例えば、島表側ａの呼出しランプ９３ａが接続された遊技機のいずれかにおいて不正行為があると、表側代表ランプ１の光源部１３ｍｓが制御部１１の指示のもとに赤色点滅し、裏側代表ランプ２の光源部２３ｍｓが制御部２１の指示のもとに全体的に青色点灯し、逆に、島裏側ｂの呼出しランプ９３ｂが接続された遊技機のいずれかにおいて不正行為があると、裏側代表ランプ２の光源部２３ｍｓが制御部２１の指示のもとに赤色点滅し、表側代表ランプ１の光源部１３ｍｓが制御部１１の指示のもとに全体的に青色点灯するように、各種発光色のＬＥＤを選択採用できる。
【００６６】
また、例えば、図３の代表ランプ装置１０２のように、表示部１ｍ、１ｓ、２ｍ、２ｓの制御部として総合制御部１１、１２が採用されているような場合には、代表ランプ１における総合制御部１１は、裏側遊技機用の呼出しランプ９３ｂから予め定めた信号（例えば不正行為を示す信号）が伝達されると、表側代表ランプ１における主表示部１ｍ及び副表示部１ｓの光源部１３ｍ、１３ｓが予め定めた状態に発光するように（例えば、光源部に青色発光のＬＥＤが配置されていて該ＬＥＤが一斉点灯するように）光源部駆動部１２ｍ、１２ｓを制御し、裏側代表ランプ２における総合制御部２１は、表側遊技機用の呼出しランプ９３ａから予め定めた信号（例えば不正行為を示す信号）が伝達されると、裏側代表ランプ２における主表示部２ｍ及び副表示部２ｓの光源部２３ｍ、２３ｓが予め定めた状態に発光するように（例えば、光源部に青色発光のＬＥＤが配置されていて該ＬＥＤが一斉点灯するように）光源部駆動部２２ｍ、２２ｓを制御するものとしてもよい。
【００６７】
いずれにしても、表側及び裏側の代表ランプ１、２のそれぞれにおける光表示部における光源部のＬＥＤ及びその点灯状態等を制御する制御部は、呼出しランプからの信号の種類に応じた、予め決めた色、ＬＥＤ個数、パターン等で光表示するように、設定しておけばよい。
【００６８】
以上説明した代表ランプ装置１０１〜１０６等のいずれにおいても、
代表ランプ装置を設けた遊技機島の表側ａに面して位置する遊技場店員は、表側代表ランプ１における主表示部１ｍと副表示部１ｓの双方を同時に監視することができ、主表示部１ｍを監視することで島の表側ａに配列された呼出しランプ９３ａからの情報（例えば遊技者による店員の呼出し、不正行為の存在等の予め定めらた情報））を把握できるとともに副表示部１ｓを監視することで島の裏側ｂに配列された呼出しランプ９３ｂからの情報も把握できる。
【００６９】
また、遊技機島の裏側ｂに面して位置する店員は、裏側代表ランプ２における主表示部２ｍと副表示部２ｓの双方を同時に監視することができ、主表示部２ｍを監視することで島の裏側ｂに配列された呼出しランプ９３ｂからの情報を把握できるとともに副表示部２ｓを監視することで島の表側ａに配列された呼出しランプ９３ａからの情報を把握できる。
【００７０】
つまり、以上説明した代表ランプ装置１０１〜１０６等によると、それを設けた遊技機島の表側ａ及び裏側ｂの双方に配列された呼出しランプ９３ａ、９３ｂからの情報の代表ランプによる把握を、島の表側ａ又は裏側ｂに位置する店員だけで（換言すれば、島の表側、裏側のいずれからでも）監視することができる。
【００７１】
さらに言えば、図２に例示するように、代表ランプ装置１０１〜１０６等のうちのいずれかを島の例えば角部に立ち上げ設置した遊技機島を隣り合わせて並べれば、各隣り合う島（９１１と９１２、９１２と９１３、９１３と９１４）のそれぞれの表側ａ及び裏側ｂに配列された呼出しランプ９３ａ、９３ｂからの情報をそれら隣り合う二つの島の間に位置する店員だけで把握することができる。
【００７２】
従って、図２に示すように、例えば４列の島９１１〜９１４の場合、島９１１と９１２の間に位置する店員Ｐ２だけで、島９１１、９１２のそれぞれの表側及び裏側の呼出しランプからの情報を把握することができ、また、島９１３と９１４の間に位置する店員Ｐ４だけで、島９１３、９１４のそれぞれの表側及び裏側の呼出しランプからの情報を把握することができ、従来の遊技機島用代表ランプと比較すると、代表ランプ表示情報に迅速、適切に対応するための代表ランプ監視要員数を低減し、人件費を節約できる。
【産業上の利用可能性】
【００７３】
本発明は、表側と裏側のそれぞれに複数の遊技機が配列されているとともに各遊技機に対して呼出しランプが設けられた遊技機島用の代表ランプ装置であって、代表ランプ表示情報に迅速、適切に対応するための代表ランプ監視要員数を低減し、人件費を節約できる代表ランプ装置を提供することに利用できる。
【符号の説明】
【００７４】
９１０、９１１、９１２、９１３、９１４  遊技機島
ａ  島の表側
ｂ  島の裏側
９２  遊技機の例のパチンコ機
９２ａ  表側パチンコ機
９２ｂ  裏側パチンコ機
９３ａ  表側呼出しランプ
９３ｂ  裏側呼出しランプ
１０１、１０２、１０３、１０４、１０５、１０６  代表ランプ装置
１  表側代表ランプ
１ｍ  主表示部
１３ｍ  光源部
１２ｍ  光源部駆動部
１１ｍ  制御部
１ｓ  副表示部
１３ｓ  光源部
１２ｓ  光源部駆動部
１１ｓ  制御部
２  裏側代表ランプ
２ｍ  主表示部
２３ｍ  光源部
２２ｍ  光源部駆動部
２１ｍ  制御部
２ｓ  副表示部
２３ｓ  光源部
２２ｓ  光源部駆動部
２１ｓ  制御部
１１、２１  総合制御部
１０ｍ、１０ｓ、２０ｍ、２０ｓ  通信部
１３ｍｓ、２３ｍｓ  まとめられた光源部
【図１】
2014111208.tif 000003
【図２】
2014111208.tif 000004
【図３】
2014111208.tif 000005
【図４】
2014111208.tif 000006
【図５】
2014111208.tif 000007
【図６】
2014111208.tif 000008
【図７】
2014111208.tif 000009
【図８】
2014111208.tif 000010
【図９】
2014111208.tif 000011